(57)【要約】【課題】  本発明は釣り用ルアーに関し、状況に応じ異なる動きを選択して魚を誘うことのできるルアーを提供することを第一の目的とする。そして、本発明の第二の目的は、釣針と釣糸との絡みを防止したルアーを提供することにある。【解決手段】  請求項１に係るルアーは、縦長に形成したルアー本体の先端と一側面に、夫々、釣糸取付部を設けると共に、両釣糸取付部の間に、水流に対する抵抗面を設けたことを特徴とする。そして、請求項２に係る発明は、請求項１に記載のルアーに於て、前記抵抗面は、ルアー本体の長手方向に沿って先端側へ傾斜していることを特徴とし、請求項３に係る発明は、請求項１または請求項２に記載のルアーに於て、前記ルアー本体は、前記一側面に設けた釣糸取付部より後端側に重心を有していることを特徴とする。【選択図】    図１
2009027959.tif 000002
【特許請求の範囲】
【請求項１】
縦長に形成したルアー本体の先端と一側面に、夫々、釣糸取付部を設けると共に、両釣糸取付部の間に、水流に対する抵抗面を設けたことを特徴とするルアー。
【請求項２】
前記抵抗面は、ルアー本体の長手方向に沿って先端側へ傾斜していることを特徴とする請求項１に記載のルアー。
【請求項３】
前記ルアー本体は、前記一側面に設けた釣糸取付部より後端側に重心を有していることを特徴とする請求項１または請求項２に記載のルアー。
【請求項４】
前記一側面に設けた釣糸取付部とルアー本体の重心とを結ぶ線分を延長した位置に、釣針取付部を設けたことを特徴とする請求項１乃至請求項３のいずれか１項に記載のルアー。
【発明の詳細な説明】
【技術分野】
【０００１】
本発明は、ルアーフィッシングに用いる釣り用ルアーに関する。
【背景技術】
【０００２】
従来、ルアーフィッシングに用いるルアーは、ルアー本体とこれに取り付く仕掛け取付部とからなり、当該仕掛け取付部に釣糸や釣針等の仕掛けが取り付けられている。
【０００３】
そして、例えばジグと呼ばれるタイプのルアーは、水中に速やかに沈下し、また、キャスティング時に長い飛距離が確保できるようにルアー全体を重くする必要があり、このため、多くのルアーは加工の容易な鉛や真鍮を用いてルアー本体が形成されている。
【０００４】
ところで、特許文献１には、図７及び図８に示すように魚の前半身に似せて形成した錘１の頭部に多角面ガラス製の光る眼球３を取り付け、中央部の上面に吊糸用湾曲針金５を取り付けると共に、後部上斜面７に垂直針９を取り付け、後端に上前方向きの鈎１１と、釣糸１３を介して釣り鈎１５を取り付けたルアーの如き釣具１７が開示されている。
【０００５】
而して、この釣具１７は、垂直針９と鈎１１に餌の小魚を取り付けることで全体として１尾の魚形となし、水中で揺動前進を行って魚を誘惑するものである。
【０００６】
また、特許文献２には、上下の動きを前進方向への動きに転換させて疑似対象魚の動きに近づけたジグとして、図９乃至図１１に示すものが開示されている。
【０００７】
図９乃至図１１に示すようにこのジグ１９は、上面側に釣糸取付部２１を設け、下面側に釣針２３を取り付けたジグ本体２５の横方向の断面形状を、少なくとも後端部以外を縦巾よりも横巾が広巾となるように形成して、上面全体を上部受水面２７、下面全体を下部受水面２９とすると共に、釣糸取付部２１より後側の上部受水面２７の面積を釣糸取付部２１より前側の面積よりも大きくし、更にジグ本体２５の前部を後部より重くしたもので、ジグ本体２５の横方向の断面形状が、上部受水面２７を２つの斜辺で形成する略二等辺三角形とされている。
【０００８】
而して、このジグ１９によれば、釣糸取付部２１に取り付けた釣糸３１を引っ張ったり緩めると、ジグ本体２５は水中で図１２の如き軌跡で上昇，下降し乍ら、長い距離を前進移動することとなる。
【特許文献１】実開昭５２−５９７９号公報
【特許文献２】特開２００１−１６１２１９号公報
【発明の開示】
【発明が解決しようとする課題】
【０００９】
しかし乍ら、前記釣具１７やジグ１９は、夫々、決められた単一の動きしかできない欠点があり、釣果の向上を図るため、状況に応じ異なる動きを選択して魚を誘うことのできるルアーが要望されている。
【００１０】
また、前記ジグ１９は、釣糸取付部２１とジグ本体２５の重心とを結ぶ線分上に釣針２３の取付部がなく、釣針２３がジグ本体２５の前端と後端とに取り付けられているため、ジグ１９の上昇，下降の際に、釣針２３が釣糸３１に絡まり易い欠点が指摘されていた。
【００１１】
本発明は斯かる実情に鑑み案出されたもので、状況に応じ異なる動きを選択して魚を誘うことのできるルアーを提供することを第一の目的とする。
【００１２】
そして、本発明の第二の目的は、釣針と釣糸との絡みを防止したルアーを提供することにある。
【課題を解決するための手段】
【００１３】
斯かる目的を達成するため、請求項１に係るルアーは、縦長に形成したルアー本体の先端と一側面に、夫々、釣糸取付部を設けると共に、両釣糸取付部の間に、水流に対する抵抗面を設けたことを特徴とする。
【００１４】
そして、請求項２に係る発明は、請求項１に記載のルアーに於て、前記抵抗面は、ルアー本体の長手方向に沿って先端側へ傾斜していることを特徴とし、請求項３に係る発明は、請求項１または請求項２に記載のルアーに於て、前記ルアー本体は、前記一側面に設けた釣糸取付部より後端側に重心を有していることを特徴とする。
【００１５】
更に、請求項４に係る発明は、請求項１乃至請求項３のいずれか１項に記載のルアーに於て、前記一側面に設けた釣糸取付部とルアー本体の重心とを結ぶ線分を延長した位置に、釣針取付部を設けたことを特徴としている。
【発明の効果】
【００１６】
各請求項に係る発明によれば、ルアー本体の先端の釣糸取付部に釣糸を取り付けてルアーを動かしたときと、ルアー本体の一側面の釣糸取付部に釣糸を取り付けてルアーを動かしたときで異なる動きをするので、釣場の状況に応じ、ルアーに異なる動きをさせて魚を誘うことができることとなった。
【００１７】
また、請求項４に係る発明によれば、釣糸と釣針は一直線上に位置するため、ルアー本体が動いても釣針が釣糸に絡まることがない。
【発明を実施するための最良の形態】
【００１８】
以下、本発明の実施形態を図面に基づいて詳細に説明する。
【００１９】
図１乃至図４は請求項１乃至請求項４に係るルアーの一実施形態を示し、図１中、３３は真鍮を用いて縦長な平面視略砲弾形状に形成された中実なルアー本体で、図３に示すようにルアー本体３３の一側面３５は、横方向の断面形状が曲率の緩やかな３つの曲面部３５ａ，３５ｂ，３５ｃで形成され、中央の曲面部３５ｂの先端側に、後述する抵抗面３７が設けられている。また、前記一側面３５と反対側の他側面３９は船底状に形成され、図２に示すように他側面３９の後端側中央に、溝４１がルアー本体３３の長手方向に設けられている。
【００２０】
そして、平坦に形成されたルアー本体３３の先端４３と前記曲面部３５ｂの中央よりやや先端側に、夫々、Ｕ字状の取付環４５が取り付いて釣糸取付部４７，４９が形成され、更に両釣糸取付部４７，４９間の曲面部３５ｂに、水流に対する抵抗面３７が設けられている。
【００２１】
前記抵抗面３７は、一般的なルアーのリップの如く水の抵抗を受けてルアー本体３３を揺動させる作用をなすもので、ルアー本体３３の長手方向に沿って曲面部３５ｂの先端側へ傾斜して形成され、ルアー本体３３の一側面３５の釣糸取付部４９を設けた部位から釣糸取付部４７を設けた先端４３にかけて、ルアー本体３３の周囲から長手方向の軸線（図示せず）を横切る方向の平面状の傾斜面となっている。このため、図２に示すようにルアー本体３３の先端側は順次薄肉とされている。そして、図１及び図２に示すようにルアー本体３３は、前記釣糸取付部４９よりやや後方に重心Ｇが設定されている。
【００２２】
一方、図１に示すようにルアー本体３３の他側面３９には、前記釣糸取付部４９とルアー本体３３の重心Ｇとを結ぶ線分Ｌ上にＵ字状の取付環４５が取り付いて釣針取付部５１が設けられており、図２に示すように前記取付環４５は既述した溝４１内に配置されている。
【００２３】
このため、図６の実線で示すように前記釣糸取付部４９に釣糸５５を取り付けて、釣針取付部５１に釣糸５７で釣針５９付きのタコベイト６１を取り付けると、釣糸５５に懸吊されたルアー６５は、先端４３側を上にした姿勢でルアー本体３３が傾き、釣糸５５と釣糸５７は一直線上に位置するようになっている。
【００２４】
また、図５の実線で示すように、前記釣糸取付部４７に釣糸５５を取り付けて釣針取付部５１にタコベイト６１を取り付けると、釣糸５５に懸吊されたルアー６５は、ルアー本体３３が上下方向に垂下した姿勢となって、釣糸５７は前記溝４１内に収まるようになっている。
【００２５】
更に、ルアー本体３３の後端にも、取付環４５が取り付いて釣針取付部５３が設けられており、図４乃至図６に示すように釣人は、釣場の状況に応じ釣糸取付部４７，４９のいずれかを選択して釣糸５５を取り付け、そして、状況に応じ釣針取付部５１，５３のいずれかを選択して釣針（図示せず）やタコベイト６１を取り付けることができるようになっている。
【００２６】
その他、図１中、６３はルアー本体３３の後端側に設けた左右一対の目玉部である。
【００２７】
本実施形態に係るルアー６５はこのように構成されているから、例えば、図５の如くルアー本体３３の先端４３側の釣糸取付部４７に釣糸５５を取り付け、釣糸５７でルアー本体３３の他側面３９側の釣針取付部５１にタコベイト６１を取り付けてキャスティングすると、既述したように釣糸５５に懸吊されたルアー６５は、図５の実線で示すように水中でルアー本体３３が上下方向に垂下した姿勢となり、釣糸５７は前記溝４１内に収まる。
【００２８】
そして、この状態で釣竿を左右に振り回し乍ら、図４に示すようにルアー６５を斜め方向に引くと、抵抗面３７が恰もリップの如く水流Ｗを受けて、図５の如く釣針取付部４７を支点にルアー本体３３がスプーン型ルアーの如く左右の一方向に振り子の如く振れ乍ら、ルアー本体３３自身がその中心軸を中心に一方向に揺動する。
【００２９】
而して、斯様に一方向に振れ乍らルアー本体３３自身が揺動すると、今度はルアー本体３３自体が水流を受けてルアー６５が実線の位置に戻り、すると再び抵抗面３７が水流を受けてルアー６５が左右の一方向に振り子の如く振れ乍ら、ルアー本体３３自身が中心軸を中心に左右の一方向へ揺動する。そして、再びルアー本体３３が水流を受けてルアー６５が実線の位置に戻り、以後、釣竿を左右に振り回し乍らルアー６５を引く度に、既述したスプーン型ルアーの如き動きが繰り返される。
【００３０】
そして、ルアー本体３３が動いても、ルアー本体３３は上下方向に垂下した姿勢を維持するため、タコベイト６１や釣糸５７が釣糸５５に絡まることがない。
【００３１】
一方、図６に示すように、ルアー本体３３の一側面３５の釣糸取付部４９に釣糸５５を取り付け、前記釣針取付部５１にタコベイト６１を取り付けてキャスティングすると、釣糸５５に懸吊されたルアー６５は、図６の実線で示すように水中で先端４３側を上にしてルアー本体３３が傾いた姿勢となり、このとき、釣糸５５と釣糸５７は一直線上に位置する。
【００３２】
そして、この状態で釣竿を上方に引いてルアー６５を動かすと、抵抗面３７が水流Ｗを受けて、二点鎖線で示すようにルアー本体３３が抵抗面３７の向いている方向へ斜め外方にスライドするように移動し、以後、釣竿を上方に引いてルアー６５を動かす度に、ルアー本体３３が抵抗面３７の向いている方向へ斜め外方にスライドすることとなる。
【００３３】
また、重心Ｇを挟んで釣糸５５と釣糸５７がルアー本体３３の反対側に接続されて、釣糸５５と釣糸５７が一直線上に位置しているため、ルアー本体３３が動いても、タコベイト６１や釣糸５７が釣糸５５に絡まることがない。
【００３４】
尚、本実施形態は、釣針取付部５１にタコベイト６１を取り付けたが、釣針取付部５１に直接釣針を取り付けた場合にも、ルアー６５は同様の動きをする。
【００３５】
このように、本実施形態は、ルアー本体３３の先端４３の釣糸取付部４７に釣糸５５を取り付けてルアー６５を動かしたときと、ルアー本体３３の一側面３５の釣糸取付部４９に釣糸５５を取り付けてルアー６５を動かしたときで異なる動きをするので、釣場の状況に応じ、ルアー６５に異なる動きをさせて魚を誘うことができることとなった。
【００３６】
また、既述したように本実施形態によれば、図５の使用状態では、ルアー本体３３が動いてもルアー本体３３は上下方向に垂下した姿勢を維持するため、タコベイト６１や釣糸５７が釣糸５５に絡まることがないし、図６の使用状態では釣糸５５と釣糸５７は一直線上に位置するため、ルアー本体３３が動いてもタコベイト６１や釣糸５７が釣糸５５に絡まることがない利点を有する。
【図面の簡単な説明】
【００３７】
【図１】請求項１乃至請求項４の一実施形態に係るルアーの側面図である。
【図２】図１に示すルアーの断面図である。
【図３】ルアーの正面図である。
【図４】ルアーの使用状態の側面図である。
【図５】ルアーの動作の説明図である。
【図６】ルアーの動作の説明図である。
【図７】従来の釣具の平面図である。
【図８】釣具の側面図である。
【図９】従来のジグの側面図である。
【図１０】ジグの平面図である。
【図１１】ジグの使用状態の側面図である。
【図１２】ジグの動きの軌跡を示す説明図である。
【符号の説明】
【００３８】
３３  ルアー本体
３５  一側面
３５ａ，３５ｂ，３５ｃ  曲面部
３７  抵抗面
３９  他側面
４１  溝
４３  先端
４７，４９  釣糸取付部
５１，５３  釣針取付部
５５，５７  釣糸
５９  釣針
６１  タコベイト
６５  ルアー
【図１】
2009027959.tif 000003
【図２】
2009027959.tif 000004
【図３】
2009027959.tif 000005
【図４】
2009027959.tif 000006
【図５】
2009027959.tif 000007
【図６】
2009027959.tif 000008
【図７】
2009027959.tif 000009
【図８】
2009027959.tif 000010
【図９】
2009027959.tif 000011
【図１０】
2009027959.tif 000012
【図１１】
2009027959.tif 000013
【図１２】
2009027959.tif 000014